(57)【要約】【課題】動作信頼性の高いシリンダ錠の提供を目的とする。【解決手段】２位置で回転境界を開放可能な特殊タンブラ部１を備えたプラグ２をケース３内に挿入したシリンダ錠本体４と、  前記特殊タンブラ部１を各々の回転境界開放位置に移動させる解錠凹部５を備えた２種類の解錠キー６とを有し、  前記特殊タンブラ部１は、いずれか一方の解錠キー６により回転境界開放位置に導かれた際に解錠凹部５に係止して該解錠キー６の抜去方向の移動を規制する。【選択図】  図６
2015094195.tif 000002
【特許請求の範囲】
【請求項１】
２位置で回転境界を開放可能な特殊タンブラ部を備えたプラグをケース内に挿入したシリンダ錠本体と、
前記特殊タンブラ部を各々の回転境界開放位置に移動させる解錠凹部を備えた２種類の解錠キーとを有し、
前記特殊タンブラ部は、いずれか一方の解錠キーにより回転境界開放位置に導かれた際に解錠凹部に係止して該解錠キーの抜去方向の移動を規制するシリンダ錠。
【請求項２】
前記特殊タンブラ部は、プラグに形成されたキー挿入溝に進退するピン状のチェックタンブラ、ケース内に挿入されてチェックタンブラをプラグ中心方向に付勢するドライブピン、およびチェックタンブラとドライブピンとの間に介装される中間タンブラとを有して形成される請求項１記載のシリンダ錠。
【請求項３】
前記中間タンブラは球体により形成される請求項２記載のシリンダ錠。
【請求項４】
前記特殊タンブラ部がプラグ内に配置される通常タンブラ列の最前部に配置される請求項１、２または３記載のシリンダ錠。
【請求項５】
自動販売機本体に係脱するロック部を備えて自動販売機の扉に固定されるハンドルケースと、
ハンドルケースに引き出し、および回転可能に挿入され、押し込み姿勢において取手部をハンドルケースの取手嵌合凹部に嵌合して回転操作が規制されるとともに、ハンドルケースからの引き出し姿勢における回転操作により前記ロック部をロック、アンロック位置に移動させるハンドル部と、
ハンドル部に収容され、施錠状態においてハンドル部のハンドルケースからの引き出し操作を規制する請求項１から４のいずれかに記載のシリンダ錠本体とを有するハンドル錠。
【発明の詳細な説明】
【技術分野】
【０００１】
本発明はシリンダ錠に関するものである。
【背景技術】
【０００２】
常用の解錠キーに加えて非常用の解錠キーによる解錠操作が可能で、非常用の解錠キーによる解錠操作をした際にシリンダ錠本体からの抜去が不能となって使用の履歴が残るシリンダ錠としては、特許文献１に記載のものが知られている。
【０００３】
この従来例において、プラグにはコードピンに加えてロック用コードピンが装着されるとともに、ケース側にドライバピンとロック用ドライバピンが装着され、シリンダ錠本体を操作するための常用キーには、コードピンとロック用コードピンとをプラグのケースとの回転境界を開放する位置に導く解錠凹部が設けられるとともに、非常キーには、コードピンを回転境界開放位置に導く解錠凹部と、ロック用コードピンを嵌合するための嵌合凹部とが設けられる。
【０００４】
この結果、常用キー、および非常キーのいずれを挿入した状態においてもコードピンとロック用コードピンの双方はプラグとケースとの回転境界を閉塞することがないために、プラグへの回転操作が許容されるが、非常キーを使用してプラグを回転させた場合には、ロック用コードピンがロック用ドライバピンに正対する位置まで回転操作すると、ロック用コードピンが嵌合凹部に嵌合するために、ロック用ドライバピンが回転境界を閉塞し、以後、プラグの回転が規制され、非常キーの抜去も規制される。
【先行技術文献】
【特許文献】
【０００５】
【特許文献１】特開２０１３-１２４４９６号公報
【発明の概要】
【発明が解決しようとする課題】
【０００６】
しかし、上述した従来例は、非常キーを使用して予め設定された解錠角度まで達すると、以後、回転操作が不可能となるために、以下の問題がある。
【０００７】
すなわち、錠装置は、一般にプラグへの回転操作を適宜のロック装置に伝達することによりロック装置の施錠、解錠状態を変更するように構成され、シリンダ錠本体とロック装置とは個別に所定位置に配置、固定されるために、プラグの解錠回転操作角度とロック装置の解錠状態への遷移動作の間には、部品自体、あるいは取り付け位置の誤差に基づくばらつきが発生する。
【０００８】
したがって、上述した従来例において、ロック用コードピンがロック装置のストローク不足側で非常キーの嵌合凹部に落ち込み、プラグの回転が規制されると、ストローク不足により解錠操作が不可能になり、オーバーストローク側で固定されると、シリンダを抜去不能位置まで回転させることなくロック操作を解錠操作することが可能になるために、常用キーと同様に使用することが可能になってしまうという問題が発生する。
【０００９】
本発明は、以上の欠点を解消すべくなされたものであって、動作信頼性の高いシリンダ錠、およびこのシリンダ錠を使用したハンドル錠の提供を目的とする。
【課題を解決するための手段】
【００１０】
本発明によれば上記目的は、
２位置で回転境界を開放可能な特殊タンブラ部１を備えたプラグ２をケース３内に挿入したシリンダ錠本体４と、
前記特殊タンブラ部１を各々の回転境界開放位置に移動させる解錠凹部５を備えた２種類の解錠キー６とを有し、
前記特殊タンブラ部１は、いずれか一方の解錠キー６により回転境界開放位置に導かれた際に解錠凹部５に係止して該解錠キー６の抜去方向の移動を規制するシリンダ錠を提供することにより達成される。
【００１１】
ケース３内に挿入されるプラグ２は、キー挿入溝７に進退するピン状、あるいはディスク状のタンブラ１１を備え、キー挿入溝７に挿入された解錠キー６により上記タンブラ１１の一端をケース３とプラグ２との回転境界に位置させて回転境界を開放することによりケース３に対して回転操作可能になる。
【００１２】
特殊タンブラ部１は、プラグ２とケース３間の回転境界を２位置で開放することが可能なように構成されたタンブラで、マスターキーシステムを構成するプラグ２に多用される周知のものを使用できる。
【００１３】
解錠キー６には一般部のタンブラ１１に対応する解錠凹部５が共通で、特殊タンブラ部１に対応する解錠凹部５のみが２種類のうちいずれか一方に対応する２種類の解錠キー６（常用キー６Ａと非常キー６Ｂ）が使用され、非常キー６Ｂを使用した場合のみ、特殊タンブラ部１が非常キー６Ｂの解錠凹部５に係止して該非常キー６Ｂの抜去方向への移動を規制する。
【００１４】
したがって本発明において、プラグ２は常用キー６Ａと非常キー６Ｂのいずれを使用しても回転操作可能状態にすることが可能であるが、非常キー６Ｂを使用して解錠操作を行った場合、その後の非常キー６Ｂの抜去が規制される。
【００１５】
この結果、解錠操作に伴って非常キー６Ｂの抜去が規制されることにより非常キー６Ｂの使用履歴が残すことが可能になり、かつ、非常キー６Ｂを使用した場合であっても、プラグ２への回転操作が可能であるために、錠装置側の解錠位置にばらつきが発生し、あるいは設定そのものが相違していても、確実に解錠操作を行うことが可能になる。
【００１６】
上述したように、特殊タンブラ部１は、マスターキーシステム、あるいはコード可変キーシステム等に多用される構造を採用することが可能であり、例えば、ディスクタンブラ１１による特殊タンブラ部１は、特開２００６-１１２０３６号公報に開示されるように、各々異なった位置にコード部が設定された２枚の分割タンブラ１１により構成することが可能である。
【００１７】
また、特殊タンブラ部１をピン状タンブラ１１により構成する場合には、
プラグ２に形成されたキー挿入溝７に進退するピン状のチェックタンブラ８、ケース３内に挿入されてチェックタンブラ８をプラグ２中心方向に付勢するドライブピン９、およびチェックタンブラ８とドライブピン９との間に介装される中間タンブラ１０とを有して形成することができる。
【００１８】
中間タンブラ１０には、短寸のピンタンブラを使用することも可能であるが、球形状に形成すると、タンブラ１１が移動するタンブラ挿入孔内での中間タンブラ１０の傾倒による作動不良を完全に防止することが可能になる。
【００１９】
非常キー６Ｂの特殊タンブラ部１による移動規制は、非常キー６Ｂに抜去方向の操作力を加えた際に、特殊タンブラ部１と非常キー６Ｂの解錠凹部５とを特殊タンブラ部１にプラグ２の遠心方向への分力が発生しない状態、例えば、垂直面同士で当接させることにより実現することができる。
【００２０】
また、非常キー６Ｂの解錠凹部５の挿入終端側壁面を傾斜面で形成すると、非常キー６Ｂの抜去方向のみの移動を規制し、挿入方向への移動を可能にすることができ、この場合、特殊タンブラ部１はプラグの任意の位置に配置することが可能になるが、
前記特殊タンブラ部１がプラグ２内に配置される通常タンブラ列の最前部に配置されるシリンダ錠を構成した場合には、非常キー６Ｂの外観から特殊タンブラ部１の存在、あるいはその位置を知ることができなくなるために、不正解錠キー６の作成が困難になる。
【００２１】
また、上述したシリンダ錠を使用したハンドル錠は、
自動販売機本体に係脱するロック部１４を備えて自動販売機の扉に固定されるハンドルケース１２と、
ハンドルケース１２に引き出し、および回転可能に挿入され、押し込み姿勢において取手部１９をハンドルケース１２の取手嵌合凹部２０に嵌合して回転操作が規制されるとともに、ハンドルケース１２からの引き出し姿勢における回転操作により前記ロック部１４をロック、アンロック位置に移動させるハンドル部１３と、
ハンドル部１３に収容され、施錠状態においてハンドル部１３のハンドルケース１２からの引き出し操作を規制する請求項１から４のいずれかに記載のシリンダ錠本体４とを有して構成することができる。
【００２２】
本発明によれば、一般に自動販売機の設置、管理者により管理されている非常キーによる使用履歴が残るために、商品、あるいは販売金額の減少の原因を、例えば、災害時等における自動販売機の設置、管理者の意思によるものと、盗難等の不正操作によるものとを確実に峻別することが可能になる。
【発明の効果】
【００２３】
本発明によれば、非常キーを拘束した後でもプラグへの回転操作が許容されるために、ロック装置に対するロック解除動作の信頼性を高めることができる。
【図面の簡単な説明】
【００２４】
【図１】ハンドル錠を示す図で、（ａ）は正面図、（ｂ）は側面図である。
【図２】解錠状態のハンドル錠を示す図で、（ａ）は正面図、（ｂ）は側面図である。
【図３】ストッパ杆を示す図で、（ａ）は施錠状態における図１の３Ａ-３Ａ線断面図、（ｂ）は解錠状態を示す断面図である。
【図４】シリンダ錠本体を示す図で、（ａ）は正面図、（ｂ）は側面図、（ｃ）は（ａ）の４Ｃ-４Ｃ線断面図である。
【図５】解錠キーを示す図で、（ａ）は常用キーを示す正面図、（ｂ）は（ａ）の５Ｂ-５Ｂ線断面図、（ｃ）は非常キーを示す正面図、（ｄ）は（ｃ）の５Ｄ-５Ｄ線断面図
【図６】特殊タンブラ部を示す図で、（ａ）は常用キーを挿入した状態示す図、（ｂ）は非常キーを挿入した状態を示す図、（ｃ）は常用キーによりプラグを回転操作した状態を示す図、（ｄ）は非常キーによりプラグを回転操作した状態を示す図である。
【発明を実施するための形態】
【００２５】
図１以下に本発明によるシリンダ錠が組み込まれたハンドル錠を示す。ハンドル錠は、自動販売機の扉に固定されて該扉を施錠するために使用されるもので、図外の自動販売機扉に固定されるハンドルケース１２と、ハンドルケース１２内に格納されるハンドル部１３と、ハンドルケース１２の後端に配置されてハンドル部１３への回転操作により回転するロック部１４とを有し、ロック状態において、ロック部１４を自動販売機本体側に固定されるストライクに係止させることにより扉の開放操作が規制される。
【００２６】
ハンドル部１３は前端部に取手部１９を有しており、該ハンドル部１３のロック状態は、図１に示すように、取手部１９をハンドルケース１２の取手嵌合凹部２０内に没入させることによって取手部１９への操作を不能にすることにより実現される。また、図外の圧縮スプリングにより突出方向に付勢されるハンドル部１３は、図３（ａ）に示すように、ストッパ杆１５をハンドルケース１２に形成された係止孔１６に係止させることにより没入位置が維持される。
【００２７】
ロック状態の解除は、ハンドル部１３に装着されたシリンダ錠本体４を解錠キー６を使用して操作することにより行われ、シリンダ錠本体４を解錠操作すると、シリンダ錠本体４のプラグ２に連結されたカム１７が回転してストッパ杆１５は、圧縮スプリング１５ａの反力に抗して係止孔１６からの離脱方向に移動する。
【００２８】
ストッパ杆１５が係止孔１６から離脱して係止が解除されると、上述した圧縮スプリングの反力によりハンドル部１３は前方に移動し、以後、ハンドル部１３を掴んだロック解除操作が可能になる。
【００２９】
図４に示すように、シリンダ錠は、ケース３内にプラグ２を挿入して形成されるシリンダ錠本体４と、該シリンダ錠本体４を施解錠操作するための解錠キー６とから構成される。シリンダ錠本体４のプラグ２には解錠キー６を挿入するキー挿入溝７が長手通しに開設されるとともに、該キー挿入溝７に進退するように、所定ピッチで適数のピン状のタンブラ１１が挿入される。
【００３０】
本例において、プラグ２は、適数のタンブラ１１をプラグ２の長手方向に沿って一直線状に配置した２列のタンブラ列を有しており、各タンブラ列内のタンブラ１１は、キー挿入溝７を挟んで反対方向からキー挿入溝７に進退する。
【００３１】
また、プラグ２内のタンブラ１１に対応してケース３内には圧縮スプリング２ａによりプラグ２中心方向に付勢されるドライブピン９が配置されており、解錠キー６を挿入しない状態において、各タンブラ１１は対応するドライブピン９に押されてプラグ２中心部に移行する。この結果、プラグ２とケース３との回転境界はドライブピン９により遮られて閉塞されるために、プラグ２に対する回転操作が規制される。
【００３２】
これに対し、図４（ｃ）に示すように、所定の解錠凹部５が設けられた解錠キー６を挿入すると、各タンブラ１１は、解錠キー６に押されてドライブピン９との境界がプラグ２とケース３との回転境界に位置するまで移動して回転境界が開放され、以後、プラグ２に対する回転操作が可能になる。各タンブラ１１のプラグ２中心側の端部には、解錠凹部５に嵌合した状態のタンブラ１１に解錠キー６の挿入操作力によりプラグ２径方向への分力を付与し、解錠キー６の挿入を可能にするテーパ面１８が形成される。
【００３３】
一方、図５（ａ）、（ｂ）に示すように、解錠キー６の解錠凹部５は各タンブラ１１に対応して設けられ、２列のタンブラ列を有する本例において、各タンブラ列に対応する２列に加え、この挿入姿勢に対して解錠キー６を表裏反転させた状態での使用を可能にするために、解錠キー６の断面中心に対する点対称位置にさらに２列を配置して合計４列が形成される。  
【００３４】
さらに、図４（ｃ）に示すように、一方のタンブラ列の最前端には通常のタンブラ１１に代えて特殊タンブラ部１が形成される。図６（ａ）に示すように、特殊タンブラ部１は、通常のタンブラ１１と同様にプラグ２内にキー挿入溝７に向けて進退自在に配置されるチェックタンブラ８と、ケース３内に移動自在に収容されるドライブピン９、および球形状の中間タンブラ１０とから構成される。
【００３５】
これらチェックタンブラ８、ドライブピン９、および中間タンブラ１０は、プラグ２が施錠回転位置にあるときに一直線上に配置され、中間タンブラ１０は、チェックタンブラ８とドライブピン９の間に介装される。
【００３６】
以上のように構成されるシリンダ錠本体４を施解錠操作するために、通常の運用時に使用される常用キー６Ａと、非常時に使用される非常キー６Ｂとが用意される。これら常用キー６Ａと非常キー６Ｂとは、特殊タンブラ部１に対応する解錠凹部５のみが相違し、残余の解錠凹部５のすべてが同一に形成される。
【００３７】
図６は常用キー６Ａと非常キー６Ｂの特殊タンブラ部１に対応する解錠凹部５の違いを示すもので、常用キー６Ａの解錠凹部５は、図６（ａ）に示すように、プラグ２のキー挿入溝７に挿入した状態で、チェックタンブラ８と中間タンブラ１０との境界がプラグ２とケース３との回転境界に位置する深さに形成され、非常キー６Ｂの解錠凹部５は、図６（ｂ）に示すように、中間タンブラ１０とドライブピン９との境界がプラグ２とケース３との回転境界に位置する深さに形成される。
【００３８】
また、非常キー６Ｂの解錠凹部５の深さ寸法、すなわち中間タンブラ１０の径寸法は、図６（ｂ）に示すように、チェックタンブラ８が解錠凹部５に嵌合した状態で非常キー６Ｂを抜去方向に移動させた際にチェックタンブラ８と解錠凹部５とが垂直面同士で当接するように、チェックタンブラ８に形成されるテーパ部の高さに比して大寸に形成されている。
【００３９】
したがって本例において、プラグ２のキー挿入溝７に常用キー６Ａ、あるいは非常キー６Ｂを所定深さまで挿入すると、タンブラ１１の先端は解錠凹部５への嵌合、解錠キー６への挿入力によりテーパ部に発生するプラグ２遠心方向分力による解錠凹部５からの離脱を繰り返して対応する解錠凹部５に嵌合する。この状態ですべてのタンブラ１１、および特殊タンブラ部１による回転境界の閉塞は解除されて開放され、プラグ２に対する回転操作が許容される。
【００４０】
また、この状態から常用キー６Ａに抜去方向の操作力を負荷すると、挿入時と同様に、タンブラ１１、およびチェックタンブラ８は抜去力によりテーパ部に発生する遠心方向分力により解錠凹部５からの離脱、および圧縮スプリングによる解錠凹部５への嵌合を繰り返してプラグ２から抜去される。
【００４１】
これに対し、非常キー６Ｂに抜去方向への操作力を加えた場合には、チェックタンブラ８と対応する嵌合凹部とは垂直面で当接するために、チェックタンブラ８には遠心方向の分力は発生することはなく、非常キー６Ｂを抜去することはできない。図６（ｄ）に示すように、この状態においても、プラグ２への回転操作は許容されるために、ロック解除位置とシリンダ錠本体４の解錠回転位置とが一致していなくとも、ロック解除操作が可能になる。
【符号の説明】
【００４２】
１        特殊タンブラ部
２        プラグ
３        ケース
４        シリンダ錠本体
５        解錠凹部
６        解錠キー
７        キー挿入溝
８        チェックタンブラ
９        ドライブピン
１０      中間タンブラ
１２      ハンドルケース
１３      ハンドル部
１４      ロック部
１９      取手部
２０      取手嵌合凹部
【図１】
2015094195.tif 000003
【図２】
2015094195.tif 000004
【図３】
2015094195.tif 000005
【図４】
2015094195.tif 000006
【図５】
2015094195.tif 000007
【図６】
2015094195.tif 000008